(57)【要約】デジタル・カメラは、イメージにおける情報がテキスト・ベースであるかイメージ・ベースであるかを認識するための手段を装備し、あるいはこれを従来のデジタル写真撮影用に使用することもできる。これはまた、光学文字読取手段（ＯＣＲ）も装備する。このようなカメラを使用するいくつかの方法が記載され、これはたとえば、物品およびサービスを広告またはカタログから注文すること、医療用のケース・レコードを作成すること、手書きのレターおよびメッセージを携帯電話によって伝送すること、アポイントメントおよび会議からのドキュメンテーションを登録かつ操作すること、および、小包、商品または製品の流れをコントロールすることである。【特許請求の範囲】
【請求項１】
モバイル・インテリジェント・カメラ技術の応用のための方法であり、好ましくは携帯電話と組み合わせられた、マイクロプロセッサ、メモリおよびソフトウェア・プログラムを有するデジタル・カメラを含む方法であって、カメラのインテリジェント機能が商品またはサービスの自動注文のため、あるいは流れをコントロールするために使用されることを特徴とする方法。
【請求項２】
カメラにおけるインテリジェンスが使用されて、広告、製品リスト、メニューまたはある他の類似のコマーシャルまたは提供の写真を撮影すると、印刷された情報が解釈され、前記解釈された情報が、ユーザが追加した指図によって同様に解釈された情報、たとえばリクエストされた商品またはサービス、配送先住所、アカウント番号、およびたとえば署名の形式における承認の指示などと組み合わせられて、自動的に広告者に、処理、配送または他の同等の処置のために転送されることを特徴とする、請求項１に記載の方法。
【請求項３】
インテリジェント・カメラが、医療分野においてケース・シートおよびレコードを作成するために使用されて、解析結果、および、ドキュメントにおいてイメージとして格納される心電図記録など、文字および記号に変換できない情報と組み合わせられた、医者が解釈した手書きのメモを含む、一般の総合的ドキュメントが作成され、必要とされるとき、検査の注文、処方箋のプリントアウト、および／または医療スタッフへの指図などのアクションを自動的にトリガするためにドキュメントを使用することができることを特徴とする、請求項１に記載の方法。
【請求項４】
インテリジェント・カメラが、インボイスおよび入金用紙における情報および指図の記録、解釈および伝送によって、支払いの注文のために使用されることを特徴とする、請求項１に記載の方法。
【請求項５】
インテリジェント・カメラが、いずれかの材料上の手書きのメッセージ、レターなどを解釈するために使用され、これにおいてコードへの解釈／変換を電子メールまたはＳＭＳとして格納かつ／または伝送することができることを特徴とする、請求項１に記載の方法。
【請求項６】
インテリジェント・カメラが、講演、会議および集会に関連して、黒板およびホワイトボード、フリップ・チャート、オーバーヘッド・プロジェクタ画面および類似のプレゼンテーション設備上の情報を取り込み、解釈し、伝送するために使用されることを特徴とする、請求項１に記載の方法。
【請求項７】
インテリジェント・カメラが、製造工業、航空輸送、郵便制度および運送業における製品、手荷物および小包の流れを記録かつコントロールするために使用され、これにより、イメージがテキスト、記号および／またはバーコードの形式におけるその解釈可能な情報について解析され、情報が、識別、およびソートなどのアクションをとるために使用されると同時に、イメージにおける他の情報が削除あるいは格納され、あるときには、これを解釈された情報と再結合して不確定または複雑な場合の解決を容易にし、可能性のある損害などをドキュメント化できるような方法で、タグ付けされることを特徴とする、請求項１に記載の方法。
【請求項８】
インテリジェント・カメラが交通監視に関連して使用され、これにより、登録番号などの解釈可能な特性が自動的に記録され、たとえば速度制限違反などに対する法的措置をもたらすために使用されることを特徴とする、請求項１に記載の方法。
【請求項９】
解釈された情報に、すでにカメラにおいて適切にタグが付けられ、これがインターネット、データベースなどに、後の情報の処理および検索を容易にするＸＭＬなどのフォーマットにおいて伝送されることを特徴とする、請求項１から請求項８までのいずれかに記載の方法。
【請求項１０】
モバイル・インテリジェント・デジタル・イメージングのための手段であり、好ましくは携帯電話と組み合わせられた、マイクロプロセッサ、メモリおよびソフトウェア・プログラムを有するデジタル・カメラを含む手段であって、インテリジェント機能を必要としないときに回避することができ、これによりカメラは、たとえば人物および風景の写真を撮影するための通常のデジタル・カメラとして動作することを特徴とする手段。
【請求項１１】
カメラが、たとえばＬＣＤタイプのディスプレイを装備しており、これはズーミング、マーキング、補正および補足のための機能を含むことができ、これによりユーザは、解釈されたイメージ情報が伝送される前にこれをチェックし、必要とされるとき、これを補正かつ補足することができることを特徴とする、請求項１０に記載の手段。
【発明の詳細な説明】
【０００１】
「Ｍｅｔｈｏｄ　ａｎｄ　ｍｅａｎｓ　ｆｏｒ　ｍｏｂｉｌｅ　ｉｎｔｅｌｌｉｇｅｎｔ　ｃａｐｔｕｒｅ，ｐｒｏｃｅｓｓｉｎｇ，ｓｔｏｒａｇｅ　ａｎｄ　ｔｒａｎｓｍｉｓｓｉｏｎ　ｏｆ　ｔｅｘｔ　ａｎｄ　ｍｉｘｅｄ　ｉｎｆｏｒｍａｔｉｏｎ　ｃｏｎｔａｉｎｉｎｇ　ｃｈａｒａｃｔｅｒｓ　ａｎｄ　ｉｍａｇｅｓ」という名称のスウェーデン特許出願第０００２７３６−７号では、幅広い意味で、デジタル・カメラを使用して、印字または手書きテキスト、またはテキストおよびイメージの組み合わせの形式における情報を取り込み、インテリジェントな方法で解釈、格納かつ伝送することができる方法が示されている。解釈は、第１のステップにおいて、たとえば印字または手書き文字などのグラフィカルな情報が標準コード（たとえばＡＳＣＩＩ）に変換されることを含意するが、異なる言語の間の翻訳など、より複雑な機能も含むことができる。
【０００２】
このように記載したドキュメンテーション技術におけるインテリジェンスにより、過多の可能な応用例が使用可能となる。この補足出願は、大変実用的な重要性のあるものとなる可能性のあるいくつかの応用例を開示する。情報に最初からタグが付けられ、とりわけインターネットに適したＸＭＬなどのフォーマットが与えられている場合、カメラによって取り込まれた情報の格納および使用が容易になる。
【０００３】
たとえば、新聞、雑誌および折り広告の形式において印刷された情報は、将来においても重要な通信手段のままであると予想される。インテリジェント・モバイル・カメラはこれに関連して、たとえば、商品またはサービスの供給者と潜在的な買い手の間の融通のきくリンクになることができる。カメラを用いて、かつ、印刷広告、折り広告またはカタログにおいて、リクエストされた製品またはサービスに適切にマークを付けることによって、あるいはこれを手書きで示し、住所、アカウント番号および適切な承認（署名など）を追加することによって、数秒以内で注文を供給者に伝送することが可能となり、これによりこのリンクは、ブルートゥースまたは別の高速伝送技術によってカメラと通信する携帯電話であることが好ましい。インテリジェント・カメラが、たとえばＬＣＤタイプのディスプレイを装備し、場合によってはズーミング、マーキング、補正および補足のための機能を装備している場合、ユーザは伝送前に、カメラがとりわけ手書きの住所および供給者への他のいずれかの特定の指図を正しく解釈していることを、チェックできるようになる。
【０００４】
本発明によれば、伝送される情報は、一方ではたとえばＡＳＣＩＩコードの形式において解釈された情報を、他方では可能なイメージ情報を含み、これはまた署名による（「シグネチャ・オン・ファイル」）などの承認も含むことができる。本質的な情報が、解釈されたモードで転送されるという事実のため、これを直接、供給者のシステムにおいて使用して、注文された商品またはサービスの自動的な急送または配送をさせることができる。
【０００５】
このように記載したトランザクションの実行では、スキャナおよびコンピュータを通じた特殊なデジタル用紙または処理など、新しい構造または手動の手順は必要とされないが、たとえば、各露出についてＡ４ページに対応する領域をカバーできる露出のトリガリングのみが必要とされる。本出願において記載した解釈の品質をコントロールするための方法と組み合わせられた、カメラにおいて規定されたインテリジェンスのため、このトランザクションを、いかなる材料上に印字かつ／または手書きされたテキストにも完全に基づくようにすることができる。このインテリジェンスは、解釈を１つの言語内で引き受けるか、あるいは異なる言語の間で翻訳できることを含意するので、どちらもいかなる重要性のある言語でもなく、これにより１つまたはいくつかの言語をカメラの基本モデルにおいて規定することができるが、オプショナルの機能性および言語モジュールを後の段階で追加することができる。即時伝送が可能でない場合は、携帯電話の使用が禁じられる飛行中の場合である可能性があり、この場合には、情報がカメラのバッファに格納されて、伝送チャネルが開かれるとすぐに伝送される。
【０００６】
類似の注文サービスには、食品雑貨店からの食品、レストランからのインスタント食品などが含まれる可能性があり、ここでは注文者が簡単な方法で単にリストまたはメニュー上でリクエストする製品のタイプおよび数量にマークを付け、住所およびいずれかの追加の要件および承認を追加し、ここにおいてカメラが、解釈された情報を店またはレストランに転送する。レストランの客でさえ、メニュー上で、所望の料理および飲み物にマークを付け、自分のテーブル番号を追加することによって、カメラを使用して自分の注文を直接レストランのキッチンに転送することができ、これにより、スタッフが給仕を行う負担が軽減される。本発明者はこれにより、これが特定の望ましい開発であるかどうかを決定していない。この意図は単に、本発明による技術についてのほとんど無限数の可能な応用例を示すことにすぎない。
【０００７】
優先権および本出願による技術はデジタル・カメラに基づいており、これは重要な点で通常のデジタル・カメラに似ており、したがって、特殊用紙の有無にかかわらず、スキャナまたはスキャニング・ペンに基づく技術とはまったく異なる。カメラのスイッチにより、インテリジェント機能を回避することができ、これによりカメラは、たとえば人物および風景の写真を撮影するための通常のデジタル・カメラとして動作する。
【０００８】
本発明によるインテリジェント・カメラの参照した特性により、もう１つの重要な応用例、すなわち、講演、会議および集会からの情報のドキュメンテーションが可能となり、ここでは講演者または報告を行う人が自分のプレゼンテーションのために使用し、これはしばしば記述およびたとえば図などのイメージ手段を含み、これはフリップ・チャート、黒板またはホワイトボード、またはオーバーヘッド・プロジェクタなどである。本発明によれば、カメラは可能な限り文字をＡＳＣＩＩコードに変換するが、イメージ情報が別々に処理される。テキストおよびイメージにタグを付け、パラグラフ、下線引きなどのレイアウト情報を認識するためのインテリジェンスを使用することによって、カメラによって取り込まれた情報を変換することができ、印刷するときに、たとえばＡ４フォーマットにおけるドキュメントとして再現することができる。したがって、インテリジェント・カメラは、書かれたテキスト、図およびイメージを含むプレゼンテーションのドキュメンテーションに関連して、書記的機能を引き受けると言うことができる。
【０００９】
この書記的機能を、たとえば、解釈し、格納し、望まれるときには携帯電話によって、いかなる材料上にも書かれる可能性のある電子メールまたはＳＭＳノート、メッセージおよびレターとして伝送するために、私的に使用することもできることは言うまでもない。
【００１０】
カメラのメーカにより、運送業者、航空会社および郵便局は、商品、小包および手荷物の流れを識別かつドキュメント化することができ、同時に、たとえば可能性のある損害に関するコントロールを引き受けることができる。
【００１１】
入金用紙の写真を撮影することにより、たとえば携帯電話を介した支払いの大変効率的な処理および注文のためにインテリジェント・カメラを使用することが可能となる。入金用紙の情報の一部がバーコードとして与えられる場合、カメラを使用してバーコードも読み取ることは明らかに可能である。
【００１２】
基本特許出願において記載された解釈、タグ付け、コントロールおよび圧縮技術を用いて、イメージのみがグラフィック情報として伝送されるが、解釈され、かつＡＳＣＩＩコードなどのデジタル・コードに変換されているすべての情報を、大変簡潔な方法で処理かつ伝送することができる。それにより、イメージのない印字および手書きメッセージを大変高いコスト効率で伝送することができ、同時にユーザは常に、その解釈された形式において、あるいはその生の形式、すなわち従来の写真として取り込まれたイメージの格納および伝送の間で選択するためのオプションを有する。本発明の範囲内で、たとえばカメラのＬＣＤディスプレイ上のイメージの操作も明らかに可能である。
【００１３】
インテリジェント・カメラによって提供された、テキストおよびイメージが混合された情報の取込み、解釈、処理（ファイリングを含む）および伝送のためのユニークかつ大変融通のきく方法により、病院および診察室において日誌をつけることに大変よく適するので、医者のメモを、心電図装置および解析機器からのプリントアウトなどの他の情報と組み合わせて共に処理することができる。
【００１４】
したがって、インテリジェント・モバイル・デジタル・カメラは、統合されたドキュメントにおけるテキスト、図および写真を含む、一般的かつ内蔵型のデジタル化ドキュメント処理のために必要な状態を作り出し、これを、前に説明したように、たとえば商品およびサービスの注文、勘定の支払い、医療分野における医者から他のスタッフへの指図などのための実行機能にリンクさせることができる。
【国際公開パンフレット】
2004514225.tif 000002
2004514225.tif 000003
2004514225.tif 000004
2004514225.tif 000005
2004514225.tif 000006
2004514225.tif 000007
2004514225.tif 000008
2004514225.tif 000009
【手続補正書】
【提出日】平成14年10月31日(2002.10.31)
【手続補正１】
【補正対象書類名】明細書
【補正対象項目名】特許請求の範囲
【補正方法】変更
【補正の内容】
【特許請求の範囲】
【請求項１】
高度デジタル・カメラ技術の応用のための方法であり、たとえば赤外線またはブルートゥースを用いてカメラと通信する統合または分離の携帯電話と好ましくは組み合わせられた、マイクロプロセッサ、メモリ、たとえばＬＣＤタイプのディスプレイおよびソフトウェアを有するデジタル・カメラを含む方法であって、認識、解釈および学習のための能力など、高度な、マシン上のカメラのインテリジェンス・ベースの機能をオンまたはオフに切り替えることができ、オンに切り替えられるとき、商品またはサービスを自動的に注文するため、物質の流れをコントロールするため、あるいは、言語翻訳または手書きから印字テキストへの転写などの書記的機能を実行するためにこの機能を使用することができることを特徴とする方法。
【請求項２】
注文、書記的または他の高度機能の伝送／実行の前に、ユーザは、カメラによって取り込まれ、解釈された情報を最初にチェックし、必要とされるときに、その固有のズーミング、フレーミング、マーキングおよび補正機能を使用することによって補正あるいは補足する可能性を有することを特徴とする、請求項１に記載の方法。
【請求項３】
広告、商品またはサービスのリスト、メニューまたは別の類似のコマーシャルまたは提供をイメージングした後、カメラの高度機能が、印刷された情報の解釈のために使用され、ここにおいて、前記解釈された情報が、ユーザが追加した指図によって同様に解釈された情報、たとえば必要とされた商品またはサービス、配送先住所、クレジット・カード番号、およびたとえば署名による承認に関する指示などと組み合わせられて、広告者に、自動的な急送、サービスまたは類似の処置のために伝送されることを特徴とする、請求項１に記載の方法。
【請求項４】
カメラの高度機能が、医療における総合的なケース・レコードおよびケース・シートを作成するために使用され、これは医者が転写したメモ、解析結果、および、心電図のプリントアウトなど、コード化された文字に変換することはできないがドキュメントにおいて画像として格納される情報を含み、適用可能であるときには、さらなる検査を注文すること、処方箋に書き加えること、および医療スタッフに指図を出すことなどのアクションを自動的にトリガするためにドキュメンテーションが使用されることを特徴とする、請求項１に記載の方法。
【請求項５】
カメラの高度機能が、インボイスおよび入金用紙における情報の登録、解釈および伝送によって支払いを行うために使用されることを特徴とする、請求項１に記載の方法。
【請求項６】
カメラの高度機能が、いずれかの材料上に書かれたレター、メッセージなどの解釈のために使用され、解釈の後に情報を電子メールまたはＳＭＳとして格納かつ／または伝送することができることを特徴とする、請求項１に記載の方法。
【請求項７】
カメラの高度機能が、講演、会議および集会に関連して、黒板およびホワイトボード、フリップ・チャート、プロジェクション・スクリーンおよび類似のプレゼンテーション手段上の情報の取込み、解釈および伝送のために使用されることを特徴とする、請求項１に記載の方法。
【請求項８】
カメラの高度機能が、外国語における看板および他の公的情報をイメージングするために使用され、ここにおいて、このように取り込まれた情報が、カメラに格納された言語翻訳モジュールを用いて翻訳され、そのディスプレイ上に表示されることを特徴とする、請求項１に記載の方法。
【請求項９】
モバイル・デジタル・カメラの高度機能が、工業、航空運送、郵便業務および運送業内の製品、手荷物および小包の流れのドキュメンテーションおよびコントロールのために使用され、これによりイメージが、テキスト、文字および／またはバーコードの形式におけるその解釈可能な情報に関して解析され、これが識別、ソートおよび選択のために使用されると同時に、イメージにおける残りの情報が削除されるか、あるいは望ましいときに、解釈された情報と共にあるときにタグ付けされて格納され、それにより、損害などの問題の明確化および解決が容易になることを特徴とする、請求項１に記載の方法。
【請求項１０】
カメラの高度機能が交通監視に関連して使用され、これにより、車両登録番号などの解釈可能な特徴が自動的に読み取られ、速度違反などに対する法的措置をとるために使用されることを特徴とする、請求項１に記載の方法。
【請求項１１】
解釈された情報に、すでにカメラにおいて適切にタグが付けられ、これがインターネット、データベースなどに、後の情報の処理および使用を容易にするＸＭＬなどのフォーマットにおいて伝送されることを特徴とする、請求項１から請求項１０までのいずれかに記載の方法。
【国際調査報告】
2004514225.tif 000010
2004514225.tif 000011
2004514225.tif 000012